Podtech/llm-jp-corpus-v4-ja_patent huggingface dataset:
【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】
カプセル部を体腔内に導入して、診断又は処置を行うカプセル型医療装置において、
前記カプセル部内に配設される駆動モータと、
前記駆動モータによって回転される回転錘と、
を有することを特徴とするカプセル型医療装置。
【手続補正２】
【補正対象書類名】明細書
【補正対象項目名】００１１
【補正方法】変更
【補正の内容】
【００１１】
【課題を解決するための手段】
本発明のカプセル型医療装置は、カプセル部を体腔内に導入して、診断又は処置を行うカプセル型医療装置において、前記カプセル部内に配設される駆動モータと、前記駆動モータによって回転される回転錘と、を有することを特徴とする。
【手続補正３】
【補正対象書類名】明細書
【補正対象項目名】００１２
【補正方法】削除
【補正の内容】
【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】陰茎が挿入可能な挿入口と挿入道とを有すると共に柔軟な素材から成る筒状体が、前記挿入道の周壁を内側へ締め付けるための締付具を備えていることを特徴とする、陰茎鍛練用のマッサージ器具。
【請求項２】前記締付具の取付位置が可変である、請求項１に記載の陰茎鍛練用のマッサージ器具。
【請求項３】  前記締付具を取り付けるための溝が形成されている、請求項１に記載の陰茎鍛練用のマッサージ器具。
【請求項４】  前記溝の数が前記締付具の数よりも多いものである、請求項３に記載の陰茎鍛練用のマッサージ器具。
【請求項５】  前記柔軟な素材から成る筒状体の外側にシェルを備え、このシェルに前記締付具が取り付けられている、請求項１に記載の陰茎鍛練用のマッサージ器具。
【請求項６】  前記シェルの外側に前記締付具を取り付けるための溝が形成されている、請求項５に記載の陰茎鍛練用のマッサージ器具。
【請求項７】  前記溝の数が前記締付具の数よりも多いものである、請求項６に記載の陰茎鍛練用のマッサージ器具。
【請求項８】  前記シェルの内側に前記柔軟な素材から成る筒状体を押すための突起が設けられている、請求項５に記載の陰茎鍛練用のマッサージ器具。
【手続補正２】
【補正対象書類名】明細書
【補正対象項目名】０００４
【補正方法】変更
【補正の内容】
【０００４】
【課題を解決するための手段及び作用】
上記課題は、陰茎が挿入可能な挿入口と挿入道とを有すると共に柔軟な素材から成る筒状体が、前記挿入道の周壁を内側へ締め付けるための締付具を備えていることを特徴とする陰茎鍛練用のマッサージ器具とすることにより達成される。前記締付具としては、Ｏリング状の金属製のバネや、このバネの一部を切欠して成るバネや、輪状のゴム体などの弾性体を自由に選択して用いることができる。また弾性体でなくとも前記挿入道の周壁を内側へ突出させることができるような直径で形成した合成樹脂環などであってもよい。また前記締付具は１つでも複数個でもよい。また弾性体を複数個を用いる場合では、全てが同じ弾性力のものとしても或いは異なる弾性力のものとしてもよい。また前記筒状体の少なくとも陰茎に接触する部位には、柔軟な例えば医療用のゴムなどを使用すればよく、この素材の選択についても任意である。
【手続補正３】
【補正対象書類名】明細書
【補正対象項目名】０００６
【補正方法】変更
【補正の内容】
【０００６】  次に、前記締付具の取付位置が可変であるマッサージ器具を提供することができる。
【手続補正４】
【補正対象書類名】明細書
【補正対象項目名】００１４
【補正方法】変更
【補正の内容】
【００１４】  なお前記シェルの外側に前記締付具を取り付けるための溝が形成されているものを提供することができる。また前記シェルの内側に、前記柔軟な素材から成る筒状体を押すための突起が設けられているものを提供することができる。
【手続補正５】
【補正対象書類名】明細書
【補正対象項目名】００１８
【補正方法】変更
【補正の内容】
【００１８】  前記シェルの外側の溝に前記締付具を取り付けると、シェルは外側から圧迫されるが、その力は前記シェルの内側に設けられた突起によって前記筒状体を押す力と成り、陰茎に心地良い刺激を与えることができる。従って前記突起の位置に前記溝をあわせるような構成も可能であり、より効果的に圧迫感を与えることができる。なお前記溝の数を前記締付具の数よりも多いものとした構成によれば、陰茎に圧迫を加えた時に気持ち良く感じる部位に相当する位置の溝に前記締付具を合わせてはめ込むことができる。
【手続補正６】
【補正対象書類名】明細書
【補正対象項目名】００３５
【補正方法】変更
【補正の内容】
【００３５】
【発明の効果】
以上、この発明は、陰茎が挿入可能な挿入口と挿入道とを有すると共に柔軟な素材から成る筒状体が、前記挿入道の周壁を内側へ締め付けるための締付具を備えていることを特徴とする陰茎鍛練用のマッサージ器具としたものである。この結果、一人で定期的にトレーニングして勃起能力を得るための陰茎鍛練用のマッサージ器具を提供することができた。
【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】  各種遊技部品が設けられた遊技機本体と、その遊技機本体の前面側を覆うように配置された前面扉とを備え、前記遊技機本体及び前面扉の一側部には遊技機本体に対して前面扉を開閉可能に支持する支持機構を設けた遊技機において、
前記支持機構は、
前記遊技機本体又は前面扉の一方に設けられ、軸孔及び該軸孔に連通された誘導通路を有する軸受部と、
他方に設けられ、前記誘導通路を介して前記軸孔に挿入されるとともに両端が固定された軸部と
を備えていることを特徴とする遊技機。
【請求項２】  前記軸孔に連通される誘導通路の幅のうち少なくとも前記軸孔との連通部分の幅は、前記軸孔の径より小さいことを特徴とする請求項１に記載の遊技機。
【請求項３】  前記軸孔に連通される誘導通路は、前記軸孔から離れるにつれて拡開していくように形成されていることを特徴とする請求項１又は請求項２に記載の遊技機。
【請求項４】  前記軸部は、前記誘導通路を通過可能な径を有する小径部と、前記軸孔の径より小さく且つ誘導通路を通過不能な径を有する大径部とを同軸上に備えたことを特徴とする請求項１乃至請求項３のいずれかに記載の遊技機。
【請求項５】  前記支持機構は遊技機の一側部において上下方向に延びる軸線を中心に前記前面扉が開閉可能となるように設けられており、前記小径部は、前記大径部の下方に配置されていることを特徴とする請求項４に記載の遊技機。
【請求項６】  大径部と小径部との間には、両部を滑らかに結ぶ勾配部が形成されていることを特徴とする請求項４又は請求項５に記載の遊技機。
【請求項７】  前記軸部は、前記誘導通路へ挿入可能な小幅部と、該小幅部よりは大きく且つ軸孔径よりは小さい幅の大幅部とより構成される断面形状の部位を有し、当該部位が誘導通路へ挿入され、軸孔と係合されることを特徴とする請求項２又は請求項３に記載の遊技機。
【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】  遊技者に提供するための情報を出力可能な遊技機であって、
遊技開始時に外部から開始情報を入力させるための開始情報入力手段と、
遊技状況に応じて前記開始情報に所定の情報を累積加算する累積加算手段と、
その累積加算手段による累積加算結果に基づいて情報出力する情報出力手段と、
を備えたことを特徴とする遊技機。
【請求項２】  前記開始情報入力手段は、携帯通信端末から出力される信号を受信することにより前記開始情報を入力することを特徴とする請求項１に記載の遊技機。
【請求項３】  前記開始情報入力手段は、携帯通信端末から無線通信による信号を受信可能であることを特徴とする請求項２に記載の遊技機。
【請求項４】  前記開始情報入力手段は、機械読み取り可能なシンボルを読み取ることにより前記開始情報を入力することを特徴とする請求項１に記載の遊技機。
【請求項５】  前記開始情報入力手段は、一次元若しくは二次元のバーコードを読み取り可能であることを特徴とする請求項４に記載の遊技機。
【請求項６】  前記開始情報入力手段は、遊技開始時における遊技の進行度合いを表す開始情報を入力させ、
前記累積加算手段は、遊技の進行に伴って新たに付与されるデータを前記開始情報に累積加算し、
前記情報出力手段は、前記累積加算結果に基づいて現在の遊技進行度合いを表す遊技進行データを出力することを特徴とする請求項１乃至５のいずれかに記載の遊技機。
【請求項７】  遊技状況に応じて遊技者に付与されるサービスポイントの価値をポイント数として算出するポイント数算出手段を備え、
前記開始情報入力手段は、遊技開始時に遊技者が保持するサービスポイントの価値を表す開始情報を入力させ、
前記累積加算手段は、前記ポイント数算出手段によって新たに算出されたポイント数を前記開始情報に累積加算し、
前記情報出力手段は、前記累積加算結果に基づいて現在の累積ポイント数に応じたサービスポイントを出力することを特徴とする請求項１乃至５のいずれかに記載の遊技機。
【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】  蒸気又は熱湯を導通する曲折自在な消毒用ホースと、前記消毒用ホースの長手方向に設けられた複数の消毒用ノズルとを備え、
前記各消毒用ノズルには、前記消毒用ホースによって導通される蒸気又は熱湯を外部に噴出するための孔が前記消毒用ホースの長手方向と略同じ方向に形成されていることを特徴とする消毒用器具。
【請求項２】  前記各消毒用ノズルには前記孔が複数対設けられていることを特徴とする請求項１に記載の消毒用器具。
【請求項３】  前記各消毒用ノズルは、前記消毒用ホースの長手方向であって同一直線上に略一定の間隔で設けられていることを特徴とする請求項１又は２に記載の消毒用器具。
【請求項４】  前記各消毒用ノズルは、伸縮可能なロッド状ノズルによって形成されていることを特徴とする請求項１〜３に記載の消毒用器具。
【請求項５】  前記消毒用ホースには、前記各消毒用ノズルを取り付けるための複数のノズル取付部が設けられ、前記各消毒用ノズルは、前記各ノズル取付部に対して着脱可能であることを特徴とする請求項１〜４に記載の消毒用器具。
【請求項６】  前記各ノズル取付部には、ノズル取付口を覆う着脱可能なキャップ部材若しくは当該ノズル取付口と前記外部との間を仕切る挿脱可能な仕切部材が設けられていることを特徴とする請求項５に記載の消毒用器具。
【請求項７】  請求項１〜４に記載の消毒用器具を使用して畝の土壌を加熱消毒する方法であって、
前記消毒用ホースを畝の側部若しくは畝と畝の間の通路に延設し、前記消毒用ホースの各消毒用ノズルを前記畝の側部に差し込み、当該消毒用ホースに蒸気又は熱湯を導通させて前記各消毒用ノズルに形成された孔から熱湯又は蒸気を噴出させることを特徴とする土壌加熱消毒方法。
【請求項８】  請求項５に記載の消毒用器具を使用して畝の土壌を加熱消毒する方法であって、
前記消毒用ホースを畝の側部若しくは畝と畝の間の通路に延設し、前記消毒用ホースの前記各ノズル取付部に前記各消毒用ノズルを取り付けた後、当該各消毒用ノズルを前記畝の側部に差し込み、当該消毒用ホースに蒸気又は熱湯を導通させて前記各消毒用ノズルに形成された孔から熱湯又は蒸気を噴出させることを特徴とする土壌加熱消毒方法。
【請求項９】  蒸気又は熱湯を導通する曲折自在な消毒用ホースであって、当該消毒用ホースの長手方向には、前記蒸気又は熱湯を外部に噴出する消毒用ノズルが、略一定の間隔で複数設けられていることを特徴とする消毒用ホース。
【請求項１０】  蒸気又は熱湯を導通する曲折自在な消毒用ホースであって、当該消毒用ホースの長手方向には、前記蒸気又は熱湯を外部に噴出する消毒用ノズルを着脱可能に取り付けるためのノズル取付部が、略一定の間隔で複数設けられていることを特徴とする消毒用ホース。
【請求項１１】  前記各ノズル取付部には、ノズル取付口を覆う着脱可能なキャップ部材若しくは当該ノズル取付口と前記外部との間を仕切る挿脱可能な仕切部材が設けられていることを特徴とする請求項１０に記載の消毒用ホース。
【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】フエルト製靴底の側面部の少なくとも一部を溶融硬化させたことを特徴とするフエルト製靴底。
【請求項２】フエルト製靴底の側面部の少なくともつま先部を溶融硬化させたことを特徴とする請求項１記載のフエルト製靴底。
【請求項３】フエルト製靴底の側面部の少なくとも踵部を溶融硬化させたことを特徴とする請求項１記載のフエルト製靴底。
【請求項４】側面部の溶融硬化させた部分は、側面部と底面部の間の角部に達するように設けたことを特徴とする請求項１記載のフエルト製靴底。
【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】  遊技球が落下する遊技領域が形成された遊技盤と、
該遊技盤を支持する遊技機本体と、
該遊技機本体の一側部にて開閉可能に支持され、閉鎖された際には前記遊技領域の手前側に配置されて当該遊技領域を落下する遊技球が手前に落下しないように被覆する前面扉と
を備え、遊技機本体には、該前面扉が閉鎖された状態で前面扉下端と対応する位置に手前側への段差部が形成されてなる遊技機において、
前記遊技機本体に対して前記前面扉を閉じる際、前記段差部に至る遊技球が遊技機本体と前面扉との間で挟み込まれることを防止するための挟み込み防止手段を備え、
前記挟み込み防止手段は、前記段差部の上面に形成した傾斜部により構成され、その傾斜部に沿って遊技球が当該上面から退避されることで当該上面に遊技球が停留されるのを防止するものであることを特徴とする遊技機。
【請求項２】  遊技球が落下する遊技領域が形成された遊技盤と、
該遊技盤を支持する遊技機本体と、
該遊技機本体の一側部にて開閉可能に支持され、閉鎖された際には前記遊技領域の手前側に配置されて当該遊技領域を落下する遊技球が手前に落下しないように被覆する前面扉と
を備え、遊技機本体には、前面扉の下端において当該前面扉を開閉可能に支持する支持部材を設けた遊技機において、
前記遊技機本体に対して前記前面扉を閉じる際、前記支持部材に至る遊技球が遊技機本体と前面扉との間で挟み込まれることを防止するための挟み込み防止手段を備え、
前記挟み込み防止手段は、前記支持部の上面に形成した傾斜部により構成され、その傾斜部に沿って遊技球が当該上面から退避されることで当該上面に遊技球が停留されるのを防止するものであることを特徴とする遊技機。
【請求項３】  遊技球が落下する遊技領域が形成された遊技盤と、
該遊技盤を支持する遊技機本体と、
該遊技機本体の一側部にて開閉可能に支持され、閉鎖された際には前記遊技領域の手前側に配置されて当該遊技領域を落下する遊技球が手前に落下しないように被覆する前面扉と
を備えた遊技機において、
前記遊技機本体には、前記遊技領域の直下位置において遮蔽板を設けることにより、遮蔽板下方から遊技領域への不正部材の侵入を阻止する構成とし、
前記遊技機本体に対して前記前面扉を閉じる際、前記遮蔽板に至る遊技球が遊技機本体と前面扉との間で挟み込まれることを防止するための挟み込み防止手段を備え、
前記挟み込み防止手段は、前記遮蔽板の上面に形成した傾斜部により構成され、その傾斜部に沿って遊技球が当該上面から退避されることで当該上面に遊技球が停留されるのを防止するものであることを特徴とする遊技機。
【請求項４】  前記傾斜部は、手前側に傾斜されていることを特徴とする請求項１乃至３のいずれかに記載の遊技機。
【請求項５】  遊技球が落下する遊技領域が形成された遊技盤と、
該遊技盤を支持する遊技機本体と、
該遊技機本体の一側部にて開閉可能に支持され、閉鎖された際には前記遊技領域の手前側に配置されて当該遊技領域を落下する遊技球が手前に落下しないように被覆する前面扉と
を備え、遊技機本体には、前面扉の下端において当該前面扉を開閉可能に支持する支持部材を設けた遊技機において、
前記支持部材は、前記前面扉の下端に挿入されて開閉軸を構成する突起軸と、その突起軸を支持する支持板とを備え、
前記支持板の上面は、突起軸の支持部分を略水平面としかつその他の部分を支持板外へ遊技球を導く傾斜面とされていることを特徴とする遊技機。
【請求項６】  前記傾斜面は、手前側に傾斜されていることを特徴とする請求項５記載の遊技機。
【請求項７】  前記前面扉の下部には、遊技球の払出を受けるとともに遊技球の発射位置へ導く球受皿を一体に設けたことを特徴とする請求項１乃至６のいずれかに記載の遊技機。
【請求項８】  遊技球が落下する遊技領域が形成された遊技盤と、
該遊技盤を前記遊技領域が前面側に露出するように支持する遊技機本体と、
該遊技機本体の一側部にて開閉可能に支持され、閉鎖された際には前記遊技領域の手前側に配置される前面扉と
を備え、
前記前面扉には、遊技領域を視認可能とする視認窓が形成されるとともに、その視認窓の下部に遊技球の払出を受けるとともに遊技球を発射位置へ導く球受皿を一体に設け、
前記遊技機本体には、前記前面扉の下端において当該前面扉を開閉可能に支持する支持金具を設け、
前記支持金具は、前記前面扉の下端に挿入されて開閉軸を構成する突起軸と、その突起軸を支持する支持板とを備え、
該支持板の上面は、前記突起軸の支持部分を略水平面とし、かつそれよりも横方向内側を手前に傾斜させた傾斜面としたことを特徴とする遊技機。
【請求項９】  前記遊技機本体には、前記前面扉が閉鎖された状態で前面扉下端と対応する位置に手前側への段差部を形成することにより、前面扉の閉鎖時に前面側を遊技機本体の下部表面と前面扉の表面とがほぼ面一となるように構成されており、前記段差部に対応して前記支持金具の支持板が設置されていることを特徴とする請求項８記載の遊技機。
【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】  操作部に対する一連の操作で１ゲームが実行され、１ゲーム内の操作部の操作によって第１課題と第２課題を選択して達成可能であり、第１課題を達成すると遊技者に利益となる第１特典が付与され、第２課題を達成すると第１特典よりも遊技者に利益となる期待値が小さい第２特典が付与される遊技機であって、
第２特典が付与された場合には、その終了後に第３特典が付与されることを特徴とする遊技機。
【請求項２】 請求項１に記載の遊技機において、第３特典が複数用意されており、遊技者が第３特典を選択する手段が設けられていることを特徴とする遊技機。
【請求項３】  請求項１または２に記載の遊技機において、始動操作部が操作されると内部状態を抽選するとともに図柄表示器で複数の図柄列を変動表示し、図柄列毎に設けられた停止操作部が所定のタイミングおよび／または順序で操作されると内部状態に対応した組合せ図柄を停止表示し、特定内部状態に対応して第１組合せ図柄と第２組合せ図柄のいずれをも停止表示可能であり、第１課題の達成は第１組合せ図柄の停止表示であり、第２課題の達成は第２組合せ図柄の停止表示であり、第１組合せ図柄と第２組合せ図柄のいずれが停止表示されても特定遊技が開始され、第１特典と第２特典は、特定遊技における遊技媒体の総払出数の期待値であることを特徴とする遊技機。
【請求項４】  請求項３に記載の遊技機において、第３特典は、特定内部状態が抽選される確率の増加であることを特徴とする遊技機。
【請求項５】  請求項３に記載の遊技機において、特別内部状態が抽選された場合に、特別内部状態に対応した特別組合せ図柄を停止表示させる停止操作部の操作を容易にする特別情報を報知する手段が設けられており、第３特典は特別情報が報知される確率の増加、または特別情報の報知回数の増加であることを特徴とする遊技機。
【請求項６】  請求項３〜５のいずれかに記載の遊技機において、第１特典で得られる遊技媒体の期待値と、第２特典と第３特典で得られる遊技媒体の総数の期待値がほぼ等しいことを特徴とする遊技機。
【請求項７】 始動操作部が操作されると図柄表示器で複数の図柄列を変動表示し、図柄列毎に設けられた停止操作部が全て操作されると組合せ図柄を停止表示する遊技機であって、
第１操作部と、第２操作部と、第１操作部と第２操作部が接続された制御部とを備えており、
制御部は、所定の組合せ図柄が停止表示された場合に、第１操作部と第２操作部の操作を有効化し、第１操作部が操作されると遊技者に利益となる第１特典を付与し、第２操作部が操作されると第１特典よりも遊技者に利益となる期待値が小さい第２特典を付与し、第２特典が付与された場合には、その終了後に第３特典を付与することを特徴とする遊技機。
【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】  Ｘ線管と、マルチスライス型のＸ線検出器と、前記Ｘ線管と前記Ｘ線検出器との間に被検体を載置する寝台と、前記被検体の周囲を回転可能に前記Ｘ線管及び前記Ｘ線検出器を支持する回転機構と、を備えたＸ線コンピュータ断層撮影装置において、
前記Ｘ線検出器で収集された特定又は任意の投影方向に関する投影データにより得られたオリジナルのスキャノグラムデータより低い空間分解能を有する第１の表示用スキャノグラムデータと、前記オリジナルのスキャノグラムデータと同じ又は同等の空間分解能を有する第２の表示用スキャノグラムデータとを生成するスキャノグラム生成ユニットと、
操作者の指示に従って前記第１の表示用のスキャノグラムデータ又は前記第２の表示用のスキャノグラムデータをスキャノグラムとして選択的に表示する表示部と、
前記Ｘ線検出器により収集された投影データに基づいて、前記表示された第１又は第２のスキャノグラム上で指定されたスライス位置に対応する断層画像データを再構成する再構成ユニットとを具備することを特徴とするＸ線コンピュータ断層撮影装置。
【請求項２】  前記スキャノグラム生成ユニットは、前記第１の表示用スキャノグラムデータより高く、前記第２の表示用スキャノグラムデータより低い第３の表示用スキャノグラムデータを生成することを特徴とする請求項１記載のＸ線コンピュータ断層撮影装置。
【請求項３】  前記スキャノグラム生成ユニットは、前記オリジナルのスキャノグラムデータから、近隣画素の単純加算、単純加算平均、加重加算又は加重加算平均により、前記第１の表示用スキャノグラムデータを生成することを特徴とする請求項１記載のＸ線コンピュータ断層撮影装置。
【請求項４】  前記スキャノグラム生成ユニットは、前記ヘリカルスキャンによるスキャン範囲全体が、前記表示部のスキャノグラム表示領域に収まる空間分解能で、前記第１の表示用スキャノグラムデータを生成することを特徴とする請求項１記載のＸ線コンピュータ断層撮影装置。
【請求項５】  前記ヘリカルスキャンによるスキャン範囲全体が、前記表示部のスキャノグラム表示領域に収まるように、前記第１の表示用スキャノグラムデータの空間分解能を決定する空間分解能決定部を医さらに備えることを特徴とする請求項１記載のＸ線コンピュータ断層撮影装置。
【請求項６】  前記スキャノグラム生成ユニットは、操作者による拡大命令の繰り返しに呼応して、前記第１の表示用スキャノグラムデータと前記第２の表示用スキャノグラムデータとの間の空間分解能を有する第３の表示用スキャノグラムデータを段階的に生成することを特徴とする請求項１記載のＸ線コンピュータ断層撮影装置。
【手続補正２】
【補正対象書類名】明細書
【補正対象項目名】０００７
【補正方法】変更
【補正の内容】
【０００７】
【課題を解決するための手段】
本発明に係るＸ線コンピュータ断層撮影装置は、Ｘ線管と、マルチスライス型のＸ線検出器と、前記Ｘ線管と前記Ｘ線検出器との間に被検体を載置する寝台と、前記被検体の周囲を回転可能に前記Ｘ線管及び前記Ｘ線検出器を支持する回転機構と、を備えたＸ線コンピュータ断層撮影装置において、前記Ｘ線検出器で収集された特定又は任意の投影方向に関する投影データにより得られたオリジナルのスキャノグラムデータより低い空間分解能を有する第１の表示用スキャノグラムデータと、前記オリジナルのスキャノグラムデータと同じ又は同等の空間分解能を有する第２の表示用スキャノグラムデータとを生成するスキャノグラム生成ユニットと、操作者の指示に従って前記第１の表示用のスキャノグラムデータ又は前記第２の表示用のスキャノグラムデータをスキャノグラムとして選択的に表示する表示部と、前記Ｘ線検出器により収集された投影データに基づいて、前記表示された第１又は第２のスキャノグラム上で指定されたスライス位置に対応する断層画像データを再構成する再構成ユニットとを具備する。
【手続補正書】
【提出日】平成18年1月20日(2006.1.20)
【手続補正１】
【補正対象書類名】明細書
【補正対象項目名】請求項５
【補正方法】変更
【補正の内容】
【請求項５】
被検体を観察する内視鏡と、
前記内視鏡を三次元的に移動調整自在に保持する保持手段と、
前記内視鏡で観察される前記被検体の画像を撮像する二次元的に移動調整自在に配された撮像素子を有した撮像手段と、
前記内視鏡の観察視野を移動するために前記撮像手段を移動操作する操作手段と、
前記撮像手段の撮像素子に入力される前記被検体の画像を回転する像回転手段と、
前記撮像手段の撮像素子で撮像された画像を選択的に反転処理する画像処理手段と、
前記画像処理手段で処理された画像を表示する表示手段と、
前記画像処理手段の処理形態及び前記操作手段の入力に対応して前記撮像手段の撮像素子を二次元的に移動して撮像位置を調整する駆動制御手段と、
を具備することを特徴とする内視鏡保持装置。
【手続補正書】
【提出日】平成17年12月8日(2005.12.8)
【手続補正１】
【補正対象書類名】明細書
【補正対象項目名】０００８
【補正方法】変更
【補正の内容】
【０００８】
病院の職員にとっては、静水圧の変化の効果、すなわち容器の高さを高さの変化が起こる前でも推定することができるような方法で静水圧の関数および回転素子の回転位置の関数としての滴下速度に関する情報を得ることができれば望ましい。また、調整バルブは構造および取り付けという点で簡単でなければならない。これは単に、片手で操作可能であり、流量の正確な調節をすることが可能であるということを意味している。
【特許文献１】ＤＥ  ８３  １２  ０２９  Ｕ
【特許文献２】ＤＥ  ４３  ４０  １９１  Ｃ１
【特許文献３】ＤＥ  ４２  ０１  ４１６  Ａ１
【特許文献４】ＤＥ  ３５  ９０  ３３９  Ｃ２
【特許文献５】特開２００２−０３５１２３
【特許文献６】ＥＰ  １  １４０  ２５６  Ｂ１
【特許文献７】ＵＳ  ４，７５０，７０７  Ａ
【特許文献８】ＵＳ  ５，００５，６０４  Ａ
【特許文献９】ＵＳ  ６，７２６，１７５  Ｂ１
【特許文献１０】ＥＰ  ０  ５５２  ８５４  Ａ
【特許文献１１】ＵＳ  ５，１１３,９０４  Ａ
【特許文献１２】ＥＰ  ０  １２３  ０７９  Ａ
【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
電気的接点を備えた一方の接続部材を、遊技台あるいは遊技媒体払い出し装置に直接設けるとともに、上記一方の接続部材に着脱自在な電気的接点を備えた他方の接続部材をディスプレイに直接設け、上記両接続部材を介して上記遊技台あるいは遊技媒体払い出し装置とディスプレイとを接続した遊技台周辺装置。
【請求項２】
遊技台と遊技台との間に遊技媒体払い出し装置を設けるとともに、この遊技媒体払い出し装置は、第１の筐体と第２の筐体とを上下に積み重ねてなり、第１の筐体には、払い出し制御部と、この払い出し制御部を制御する処理部とを備え、第２の筐体には上記第１の筐体の処理部にデータを入力する入力手段と、ディスプレイとを備え、これら両筐体は、それらを分離可能にするとともに、第１の筐体に設けた処理部は、上記ディスプレイとは別の種類のディスプレイに接続可能にした遊技台周辺装置。
【請求項３】
ディスプレイを、取り付け対象に対して回転自在に取り付けた請求項１または２に記載の遊技台周辺装置。
【請求項４】
遊技台に対応したディスプレイに接続部材を設け、この接続部材を呼び出しランプまたは呼び出しランプを固定したランプ板に取り付けてなり、上記接続部材は、上記ディスプレイを遊技台より上方に移動可能な構成にした遊技台周辺装置。
【請求項５】
ディスプレイに設けた一方の接続部材に電気的接点を備えるとともに、呼び出しランプまたは呼び出しランプを固定したランプ板には、上記電気的接点に対応する電気的接点を備えた他方の接続部材を設け、上記両接続部材を電気的に接続する請求項４に記載の遊技台周辺装置。
【手続補正２】
【補正対象書類名】明細書
【補正対象項目名】０００３
【補正方法】変更
【補正の内容】
【０００３】
上記のようにディスプレイをユーザー毎に備えるために、例えば特開平９−３２７５７１号公報に記載された装置が従来から知られている。この従来の装置は、遊技台と遊技台との間に形成される狭隘部にディスプレイの支持体を設け、この支持体にディスプレイを設けて、遊技台毎にディスプレイを対応させるようにしている。このように、遊技台と遊技台との間に設けた支持体にディスプレイを設けることによって、当該ディスプレイをユーザーの目線に近いところに設置できることになる。
【手続補正３】
【補正対象書類名】明細書
【補正対象項目名】０００４
【補正方法】変更
【補正の内容】
【０００４】
なお、近年は、遊技台と遊技台との間に遊技媒体の払い出し装置を設置することがあるが、この払い出し装置とともに、上記ディスプレイも設けようとすると、それらを並列に設置することになる。言い換えると、遊技台と遊技台との間に、遊技媒体の払い出し装置と、ディスプレイの支持体との両方を挟むようにして設置することになる。
【手続補正４】
【補正対象書類名】明細書
【補正対象項目名】０００９
【補正方法】変更
【補正の内容】
【０００９】
第１の発明は、電気的接点を備えた一方の接続部材を、遊技台あるいは遊技媒体払い出し装置に直接設けるとともに、上記一方の接続部材に着脱自在な電気的接点を備えた他方の接続部材をディスプレイに直接設け、上記両接続部材を介して上記遊技台あるいは遊技媒体払い出し装置とディスプレイとを接続する点に特徴を有する。
なお、上記接続部材を直接設けるとは、遊技台や払い出し装置と接続部材との間、また、ディスプレイと接続部材との間が、機械的に直接接続している状態である。むき出しになった配線を介して両者を接続している状態ではない。
【手続補正５】
【補正対象書類名】明細書
【補正対象項目名】００１０
【補正方法】変更
【補正の内容】
【００１０】
第２の発明は、遊技台と遊技台との間に遊技媒体払い出し装置を設けるとともに、上記遊技媒体払い出し装置は、第１の筐体と第２の筐体とを上下に積み重ねてなり、第１の筐体には、払い出し制御部と、この払い出し制御部を制御する処理部とを備え、第２の筐体には上記第１の筐体の処理部にデータを入力する入力手段と、ディスプレイとを備え、これら両筐体は、それらを分離可能にするとともに、第１の筐体に設けた処理部は、上記ディスプレイとは別の種類のディスプレイに接続可能にした点に特徴を有する。
第３の発明は、上記第１または第２の発明を前提とし、ディスプレイを、取り付け対象に対して回転自在に取り付けた点に特徴を有する。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
第４の発明は、遊技台に対応したディスプレイに接続部材を設け、この接続部材を呼び出しランプまたは呼び出しランプを固定したランプ板に取り付けてなり、上記接続部材は、上記ディスプレイを遊技台より上方に移動可能な構成にした点に特徴を有する。
【手続補正８】
【補正対象書類名】明細書
【補正対象項目名】００１３
【補正方法】変更
【補正の内容】
【００１３】
第５の発明は、上記第４の発明を前提とし、ディスプレイに設けた一方の接続部材に電気的接点を備えるとともに、呼び出しランプまたは呼び出しランプを固定したランプ板には、上記電気的接点に対応する電気的接点を備えた他方の接続部材を設け、上記両接続部材を電気的に接続する点に特徴を有する。
【手続補正９】
【補正対象書類名】明細書
【補正対象項目名】００１４
【補正方法】変更
【補正の内容】
【００１４】
第１〜第５の発明によれば、ディスプレイを、遊技中に遊技者が見やすい位置に設けることができる。
また、ディスプレイを備えた専用の装置を払い出し装置の隣に設ける場合と比べて、遊技台と遊技台との間隔を狭くできる。従って、同一スペースにおける遊技台の設置台数を減らさずに、ディスプレイを設けることができる。
【手続補正１０】
【補正対象書類名】明細書
【補正対象項目名】００１６
【補正方法】変更
【補正の内容】
【００１６】
第２の発明によれば、共通の第１の筐体を用いて、異なる種類のディスプレイを備えた第２の筐体を接続することができる。設置者の要望に合わせたディスプレイの種類を選択して設置する際に、第２の筐体だけを入れ替えれば良いので、経済的である。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
また、第４、第５の発明では、ディスプレイを遊技台の上方に移動させることができるようにしているので、遊技台のガラス扉を開ける際や、遊技台の入れ替えの際には、ディスプレイを遊技台の上方へ移動させて、ディスプレイが扉のじゃまにならないようにできる。
【手続補正書】
【提出日】平成18年9月28日(2006.9.28)
【手続補正１】
【補正対象書類名】特許請求の範囲
【補正対象項目名】請求項１
【補正方法】変更
【補正の内容】
【請求項１】
ランスとともに使用するための穿刺装置であって、
平行四辺形のラックと、
前記ラックに回転可能に支持されたピニオンであって、その回転が前記ラックの動きに結合されているピニオンと、
前記ピニオンに結合された駆動アームを含むスライダ・クランク系と、
前駆駆動アームに結合されたランスホルダと、
を含み、前記ピニオンの回転により前記ランスホルダを駆動して直線運動させる、
穿刺装置。
【手続補正２】
【補正対象書類名】特許請求の範囲
【補正対象項目名】請求項２６
【補正方法】変更
【補正の内容】
【請求項２６】
ランスとともに使用するための穿刺装置であって、
フレームと、
前記フレームを所定の経路に沿って引き止め位置から発動位置まで動かすためのラック・ピニオン手段であって、前記フレームに対して固定された一以上のラックセグメントと、前記一以上のラックセグメントと連係するピニオンとを含むラック・ピニオン手段と、
前記ランスを保持し、かつ、引き込み位置から所定の伸長位置まで直線運動させるためのランスホルダ手段と、
前記フレームの動きを前記ランスホルダ手段に結合して、前記フレームが前記所定の経路に沿って前記引き止め位置から前記発動位置まで動くとき、前記ランスホルダが前記ランスを前記引き込み位置から前記伸長位置まで動かすようにするための手段と、
前記ランスが前記所定の伸長位置を越えて延びることを防ぐための手段と、
を含む、穿刺装置。
【手続補正３】
【補正対象書類名】明細書
【補正対象項目名】００４１
【補正方法】変更
【補正の内容】
【００４１】
フレーム２１２及びランスホルダ２２４は、動作的に上ケース２４０及び下ケース２４２に配置される。ケースどうしはスナップ嵌めされるか、他の従来の手段によって合わせて維持される。エンドキャップ２４４は脱着自在であり、使い捨てランス（図示せず）を保護する。エンドキャップ２４４はまた、正しい穿刺深さを保証するのに役立つ。エンドキャップは、穿刺の動きに対して垂直な面を有する。それにより、使用者は、エンドキャップ面を皮膚に対して同一面に配置して垂直方向の穿刺動を保証することにより、穿刺装置を安定化することができる。
【手続補正書】
【提出日】平成18年9月15日(2006.9.15)
【手続補正１】
【補正対象書類名】明細書
【補正対象項目名】００２１
【補正方法】変更
【補正の内容】
【００２１】
［実施形態８］
これは、図１７に示すように物品保持部1底面に傾斜をつけ、そこに波状の凹凸（波状部40）を設けた例である。
搬入時、物品保持部を荷室に搬入すると、波状部が荷室に接触し、さらに押し込むと、保持部が持ち上げられる。保持部が荷室で支えられるので、脚部への荷重が減少し、脚部を持ち上げることが容易になる。すなわち、車両側の荷室の高さが変わっても、搬入や脚部の格納が容易となる。
【手続補正書】
【提出日】平成17年12月6日(2005.12.6)
【手続補正１】
【補正対象書類名】明細書
【補正対象項目名】請求項１
【補正方法】変更
【補正の内容】
【請求項１】  エアバッグ及び該エアバッグ内にガスを供給して膨張させるエアバッグ用ガス発生器を有し、車両の乗員前方に設置されるエアバッグ装置と、
膨張部及び該膨張部内にガスを供給して膨張させるエアベルト用ガス発生器を有したエアベルト装置と、
車両の衝突に対応して該エアバッグ用ガス発生器及びエアベルト用ガス発生器を制御する制御装置とを備えた乗員保護装置において、
前記エアベルト用ガス発生器はガス発生量を調節可能なものであり、前記制御装置は、衝突規模の増大に対応して該エアベルト用ガス発生器のガス発生量を増大させるように制御することをことを特徴とする乗員保護装置。
【手続補正２】
【補正対象書類名】明細書
【補正対象項目名】００１２
【補正方法】変更
【補正の内容】
【００１２】
【課題を解決するための手段】
本発明の乗員保護装置は、エアバッグ及び該エアバッグ内にガスを供給して膨張させるエアバッグ用ガス発生器を有し、車両の乗員前方に設置されるエアバッグ装置と、膨張部及び該膨張部内にガスを供給して膨張させるエアベルト用ガス発生器を有したエアベルト装置と、車両の衝突に対応して該エアバッグ用ガス発生器及びエアベルト用ガス発生器を制御する制御装置とを備えた乗員保護装置において、前記エアベルト用ガス発生器はガス発生量を調節可能なものであり、前記制御装置は、衝突規模の増大に対応して該エアベルト用ガス発生器のガス発生量を増大させるように制御することをことを特徴とするものである。
【手続補正３】
【補正対象書類名】明細書
【補正対象項目名】００２４
【補正方法】変更
【補正の内容】
【００２４】
I．作動例１（体重に依拠しない制御例）
（１）車両の衝撃に伴ってその規模が衝撃規模検知システム４０によって検知される。衝撃規模が極めて小さいときには、図１（１）の通り、インフレータ２１，２２，３１，３２のいずれも作動せず、エアバッグ１６及びエアベルト２のいずれも膨張しない。
【手続補正４】
【補正対象書類名】明細書
【補正対象項目名】００２５
【補正方法】変更
【補正の内容】
【００２５】
（２）衝撃規模が小規模であるときには、第１インフレータ２１，３１のみが作動し、エアバッグ１６及びエアベルト２に少量のガスが供給され、図１（２）の通りエアバッグ１６及びエアベルト２が比較的ゆっくりと、また、内圧がさほど高くならない程度に膨張する。これにより、乗員Ｐはエアベルトによって柔らかく拘束されると共に、エアバッグ１６に突入したときに柔らかく受け止められる。
【手続補正書】
【提出日】平成17年12月14日(2005.12.14)
【手続補正１】
【補正対象書類名】明細書
【補正対象項目名】請求項１
【補正方法】変更
【補正の内容】
【請求項１】  前記被払拭面に接触して前記被払拭面を払拭する払拭部を有すると共に、前記払拭部の前記被払拭面とは反対側に基部が形成され、且つ、前記基部よりも細幅のネック部により前記払拭部と前記基部とを連結したブレードラバーと、
合成樹脂材によって形成され、前記ブレードラバーの長手方向に直交する方向の内寸が前記基部よりも大きく設定された収容部を有すると共に、内幅寸法が前記ネック部の幅寸法よりも大きく前記ネック部が長手方向に沿って挿通される挿通孔が形成され、前記収容部内に前記基部を収容し、且つ、前記ブレードラバーの長手方向と直交する方向に前記基部を移動可能に支持するバッキングと、
を備えるワイパブレード。
【手続補正２】
【補正対象書類名】明細書
【補正対象項目名】００１１
【補正方法】変更
【補正の内容】
【００１１】
【課題を解決するための手段】
請求項１記載のワイパブレードは、前記被払拭面に接触して前記被払拭面を払拭する払拭部を有すると共に、前記払拭部の前記被払拭面とは反対側に基部が形成され、且つ、前記基部よりも細幅のネック部により前記払拭部と前記基部とを連結したブレードラバーと、合成樹脂材によって形成され、前記ブレードラバーの長手方向に直交する方向の内寸が前記基部よりも大きく設定された収容部を有すると共に、内幅寸法が前記ネック部の幅寸法よりも大きく前記ネック部が長手方向に沿って挿通される挿通孔が形成され、前記収容部内に前記基部を収容し、且つ、前記ブレードラバーの長手方向と直交する方向に前記基部を移動可能に支持するバッキングと、を備えている。
【手続補正３】
【補正対象書類名】明細書
【補正対象項目名】００１２
【補正方法】変更
【補正の内容】
【００１２】
上記構成のワイパブレードでは、ブレードラバーが被払拭面上を移動することでブレードラバーの払拭部が傾斜し、且つ、被払拭面に対して概ね平行方向へ向けて移動する。払拭部は被払拭面へ接触しているため、被払拭面と払拭部との間の摩擦により払拭部がブレードラバーの移動方向とは反対側に引っ張られ、これによりブレードラバーの基部側は払拭部側に対して移動方向側へ向けて倒れる。
【手続補正書】
【提出日】平成18年8月2日(2006.8.2)
【手続補正１】
【補正対象書類名】明細書
【補正対象項目名】００１１
【補正方法】変更
【補正の内容】
【００１１】
上記のジカルボン酸単位（ａ）は、本発明のポリアミド樹脂組成物の優れた諸特性を損なわない範囲内であれば、テレフタル酸単位以外の他のジカルボン酸単位を含んでいてもよい。該他のジカルボン酸単位としては、マロン酸、ジメチルマロン酸、コハク酸、グルタル酸、アジピン酸、２−メチルアジピン酸、トリメチルアジピン酸、ピメリン酸、２，２−ジメチルグルタル酸、２，２−ジエチルコハク酸、アゼライン酸、セバシン酸、スベリン酸等の脂肪族ジカルボン酸；１，３−シクロペンタンジカルボン酸、１，４−シクロヘキサンジカルボン酸等の脂環式ジカルボン酸；イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェニルメタン−４，４’−ジカルボン酸、ジフェニルスルホン−４，４’−ジカルボン酸、４，４’−ビフェニルジカルボン酸等の芳香族ジカルボン酸から誘導される単位を挙げることができ、これらのうち１種または２種以上を用いることができる。上記単位の中でも、芳香族ジカルボン酸から誘導される単位が好ましい。これらの他のジカルボン酸単位の含有量としては、４０モル％以下であるのが好ましく、２５モル％以下であるのがより好ましく、１０モル％以下であるのがさらに好ましい。さらに、トリメリット酸、トリメシン酸、ピロメリット酸等の多価カルボン酸から誘導される単位を、溶融成形が可能な範囲内で含んでいてもよい。
【手続補正２】
【補正対象書類名】明細書
【補正対象項目名】００１８
【補正方法】変更
【補正の内容】
【００１８】
末端封止剤として使用されるモノカルボン酸としては、アミノ基との反応性を有するものであれば特に制限はなく、例えば、酢酸、プロピオン酸、酪酸、吉草酸、カプロン酸、カプリル酸、ラウリン酸、トリデシル酸、ミリスチン酸、パルミチン酸、ステアリン酸、ピバリン酸、イソ酪酸等の脂肪族モノカルボン酸；シクロヘキサンカルボン酸等の脂環式モノカルボン酸；安息香酸、トルイル酸、α−ナフタレンカルボン酸、β−ナフタレンカルボン酸、メチルナフタレンカルボン酸、フェニル酢酸等の芳香族モノカルボン酸、これらの任意の混合物などを挙げることができる。これらの中でも、反応性、封止末端の安定性、価格等の点から、酢酸、プロピオン酸、酪酸、吉草酸、カプロン酸、カプリル酸、ラウリン酸、トリデシル酸、ミリスチン酸、パルミチン酸、ステアリン酸、安息香酸が好ましい。
【手続補正３】
【補正対象書類名】明細書
【補正対象項目名】００２５
【補正方法】変更
【補正の内容】
【００２５】
ポリアミド樹脂（II）を構成するジカルボン酸単位（ｃ）としては、マロン酸、ジメチルマロン酸、コハク酸、グルタル酸、アジピン酸、２−メチルアジピン酸、トリメチルアジピン酸、ピメリン酸、２，２−ジメチルグルタル酸、２，２−ジエチルコハク酸、アゼライン酸、セバシン酸、スベリン酸等の脂肪族ジカルボン酸；１，３−シクロペンタンジカルボン酸、１，４−シクロヘキサンジカルボン酸等の脂環式ジカルボン酸；イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェニルメタン−４，４’−ジカルボン酸、ジフェニルスルホン−４，４’−ジカルボン酸、４，４’−ビフェニルジカルボン酸等の芳香族ジカルボン酸から誘導される単位を挙げることができ、これらのうち１種または２種以上を用いることができる。上記の単位の中でも、脂肪族ジカルボン酸から誘導されるジカルボン酸単位が好ましく、炭素数６〜１２の脂肪族ジカルボン酸から誘導されるジカルボン酸単位がより好ましく、アジピン酸単位がさらに好ましい。さらに、トリメリット酸、トリメシン酸、ピロメリット酸等の多価カルボン酸から誘導される単位を、溶融成形が可能な範囲内で含んでいてもよい。
【手続補正４】
【補正対象書類名】明細書
【補正対象項目名】００２８
【補正方法】変更
【補正の内容】
【００２８】
上記のジアミン単位（ｄ）は、本発明のポリアミド樹脂組成物の優れた諸特性を損なわない範囲内であれば、キシリレンジアミン単位以外の他のジアミン単位を含んでいてもよい。該他のジアミン単位としては、エチレンジアミン、プロピレンジアミン、１，４−ブタンジアミン、１，６−ヘキサンジアミン、１，８−オクタンジアミン、１，１０−デカンジアミン、１，１２−ドデカンジアミン、３−メチル−１，５−ペンタンジアミン、２，２，４−トリメチル−１，６−ヘキサンジアミン、２，４，４−トリメチル−１，６−ヘキサンジアミン、５−メチル−１，９−ノナンジアミン等の脂肪族ジアミン；シクロヘキサンジアミン、メチルシクロヘキサンジアミン、イソホロンジアミン等の脂環式ジアミン；ｐ−フェニレンジアミン、ｍ−フェニレンジアミン、４，４’−ジアミノジフェニルメタン、４，４’−ジアミノジフェニルスルホン、４，４’−ジアミノジフェニルエーテル等の芳香族ジアミンから誘導される単位を挙げることができ、これらのうち１種または２種以上を用いることができる。これらの他のジアミン単位の含有量としては、３０モル％以下であるのが好ましく、２０モル％以下であるのがより好ましく、１０モル％以下であるのがさらに好ましい。
【手続補正書】
【提出日】平成18年1月6日(2006.1.6)
【手続補正１】
【補正対象書類名】明細書
【補正対象項目名】発明の名称
【補正方法】変更
【補正の内容】
【発明の名称】記録装置及び画像形成装置
【手続補正２】
【補正対象書類名】明細書
【補正対象項目名】特許請求の範囲
【補正方法】変更
【補正の内容】
【特許請求の範囲】
【請求項１】
用紙を搬送する搬送ローラと、この搬送ローラで搬送される用紙に画像を記録する記録手段を備え、前記用紙を中央基準で搬送する記録装置において、前記搬送ローラの搬送力は用紙幅方向中央の部分が他の部分より高いことを特徴とする記録装置。
【請求項２】
請求項１に記載の記録装置において、前記搬送ローラに対向する複数の加圧コロを用紙幅方向に配置し、前記搬送ローラの用紙幅方向中央部分に対向する加圧コロの加圧力を他の加圧コロの加圧力より高くしたことを特徴とする記録装置。
【請求項３】
請求項２に記載の記録装置において、前記複数の加圧コロにそれぞれ前記搬送ローラ側への付勢力を与える付勢手段を設け、前記搬送ローラの用紙幅方向中央部分に対向する加圧コロの付勢手段を他の付勢手段よりも高い取り付け位置で係止したことを特徴とする記録装置。
【請求項４】
請求項２又は３に記載の記録装置において、前記搬送ローラの用紙幅方向中央部分に対向する加圧コロの加圧力を他の加圧コロの加圧力と略同じにできることを特徴とする記録装置。
【請求項５】
請求項１に記載の記録装置において、前記搬送ローラに対向する複数の加圧コロを用紙幅方向に配置し、前記搬送ローラの用紙幅方向中央部分に対向する加圧コロの表面摩擦係数を他の加圧コロの表面摩擦係数より高くしたことを特徴とする記録装置。
【請求項６】
用紙に画像を記録する記録手段と、この記録手段下流側で前記用紙に当接可能なコロとを備え、前記用紙を中央基準で搬送する記録装置において、前記コロの搬送力は用紙幅方向中央部が他の部分より高いことを特徴とする記録装置。
【請求項７】
請求項６に記載の記録装置において、前記用紙に当接可能な複数のコロを用紙幅方向に配置し、用紙幅方向中央部で前記コロの配置密度を高くしたことを特徴とする記録装置。
【請求項８】
用紙を搬送する搬送ローラと、この搬送ローラで搬送される用紙に画像を記録する記録手段を備え、前記用紙を端面基準で搬送する記録装置において、前記搬送ローラの搬送力は前記端面側の部分が他の部分より高いことを特徴とする記録装置。
【請求項９】
用紙に画像を記録する記録手段と、この記録手段下流側で前記用紙に当接可能なコロとを備え、前記用紙を端面基準で搬送する記録装置において、前記コロの搬送力は前記端面側の部分が他の部分より高いことを特徴とする記録装置。
【請求項１０】
用紙に画像を記録する画像形成装置において、前記請求項１ないし９のいずれかに記載の記録装置で構成されていることを特徴とする画像形成装置。
【手続補正３】
【補正対象書類名】明細書
【補正対象項目名】０００１
【補正方法】変更
【補正の内容】
【０００１】
【産業上の利用分野】
本発明は記録装置及び画像形成装置に関し、特に用紙を反転搬送経路で搬送可能な記録装置及び画像形成装置に関する。
【手続補正４】
【補正対象書類名】明細書
【補正対象項目名】０００２
【補正方法】変更
【補正の内容】
【０００２】
【従来の技術】
一般に、プリンタ、ファクシミリ、複写機等の画像記録装置（画像形成装置）に用いられる記録装置としてのインクジェット記録装置は、インク滴を吐出するための複数のノズルと、各ノズルに対応して設けた電気機械変換素子や発熱抵抗体などのアクチュエータとを備えたインクジェットヘッドを記録ヘッドに用いて、給紙された用紙を搬送しながら記録信号に応じて記録ヘッドのノズルからインク滴を用紙に吐出して画像を記録し、記録された用紙を排紙トレイに排紙する。なお、本明細書中において、「用紙」とは画像が記録されるものという意味であり、紙に限定されるものではなく、ＯＨＰシートなどを含むものである。
【手続補正５】
【補正対象書類名】明細書
【補正対象項目名】００１１
【補正方法】変更
【補正の内容】
【００１１】
本発明は上記の点に鑑みてなされたものであり、一の目的は駆動負荷の増大を抑制しつつ厚みのある用紙、或いは腰のある用紙を搬送可能な記録装置及び画像形成装置を提供することを目的とする。他の目的はコロ跡を低減しつつ厚みのある用紙、或いは腰のある用紙を排紙可能な記録装置及び画像形成装置を提供することを目的とする。
【手続補正６】
【補正対象書類名】明細書
【補正対象項目名】００１８
【補正方法】変更
【補正の内容】
【００１８】
さらにまた、本発明に係る記録装置は、記録手段下流側で用紙に当接可能なコロの搬送力は端面側の部分が他の部分より高い構成としたものである。
また、本発明に係る画像形成装置は、本発明に係る記録装置で構成したものである。
【手続補正７】
【補正対象書類名】明細書
【補正対象項目名】００５１
【補正方法】変更
【補正の内容】
【００５１】
また、上記実施形態においては、複数（複数列）の拍車群を設ける例で説明したが、複数の拍車を１列に設けるだけのインクジェット記録装置にも同様に適用することができる。また、上排紙加圧コロとして拍車以外の単なるコロ（ローラと称されるようなものを含む。）などを使用することもできる。さらに、上記実施形態においては、本発明を記録手段にインクジェットヘッドを用いたインクジェット記録装置に適用した例で説明したが、インクジェット記録装置に限定されるものではなく、サーマルヘッド等の他の記録ヘッドを用いる記録装置を含み、更に書き込み部（記録手段）にレーザーを用いるプリンタや複写装置、ファクシミリ装置等を含むものである。さらに、前述したようにこれらの記録装置はプリンタ、ファクシミリ、複写装置、プロッタ等の画像形成装置を構成することができる。
【手続補正８】
【補正対象書類名】明細書
【補正対象項目名】００５９
【補正方法】変更
【補正の内容】
【００５９】
さらにまた、本発明に係る記録装置によれば、記録手段下流側で用紙に当接可能なコロの搬送力は端面側の部分が他の部分より高い構成としたので、厚みのある用紙や腰のある用紙でも排紙でき、しかもコロ跡の低減することができる。
また、本発明に係る画像形成装置によれば、本発明に係るいずれかの記録装置で構成したので、上述したと同様の効果を得ることができる。
【手続補正書】
【提出日】平成18年10月6日(2006.10.6)
【手続補正１】
【補正対象書類名】明細書
【補正対象項目名】請求項１
【補正方法】変更
【補正の内容】
【請求項１】  上部に開口部を有する有底箱状をなす容器本体と、同容器本体の開口部内周面に沿って段差状に形成された支持面上に下端縁が支持されるように開口部内周面の少なくとも一部に沿う形状をなす袋止めとよりなり、前記袋止めと容器本体の開口部内周面との間に、容器本体内に収容される袋の開口端部を挟み込んで、その袋を開口状態で保持する袋止めを備えた容器であって、  前記袋止めの軸線方向に延びる両側縁部に、各側縁部からそれぞれ外方へ突出する突出部を前記軸線を中心に線対称に形成し、支持面に、下方に位置する突出部が入り込む凹部を形成した袋止めを備えた容器。